Podtech/llm-jp-corpus-v4-ja_patent huggingface dataset:
(57)【要約】      （修正有）【課題】人工衛星や巨大隕石の墜落に伴なう重大事故防止システムを提供する。【解決手段】人工衛星の機器の寿命に伴なう無線操作が制御不能になった状態が生じて飛行中の人工衛星の墜落や飛来する巨大隕石の墜落することに伴なう人や建物に激突する重大な事故に対応するため、先端に推進装置付アンカー５が取り付けられたロープとネット４を備えた捕獲装置２と、宇宙ロケットに装備された自爆装置３とを備えた墜落事故防止システム１としての特徴をもつ。【選択図】図１
0003213823.tif 000002
【実用新案登録請求の範囲】
人工衛星の機器の寿命に伴なう無線操作が制御不能になった状態が生じて飛行中の人工衛星の墜落や飛来する巨大隕石の墜落することに伴なう人や建物に激突する重大な事故に対応するため、捕獲装置と自爆装置の機能を備えた墜落事故防止システムとしての特徴をもつ人工衛星や巨大隕石の墜落に伴う重大事故防止システム。
【考案の詳細な説明】
【技術分野】
【０００１】  本考案は、人工衛星や巨大隕石の墜落に伴なう重大事故防止システムを装備することにより、墜落に伴なう重大事故を防止するための人工衛星や巨大隕石の墜落に伴なう重大事故防止システムに関するものである。尚、本願の説明において、人工衛星や巨大隕石の墜落に伴なう重大事故防止システムと墜落事故防止システムとは同義語であって、以下の説明では、本願の人工衛星や巨大隕石の墜落に伴なう重大事故防止システムを単に墜落事故防止システムと表現することがある。
【背景技術】
【０００２】  人工衛星の寿命に伴なう墜落事故や巨大隕石の飛来に伴なう墜落事故が発生するようになり、機器の寿命に伴なう無線操作が制御不能になった人工衛星が墜落したり、宇宙空間より飛来する巨大隕石が墜落することで人や建物に激突する重大な事故が起こり得る。
【先行技術文献】
【特許文献】
【０００３】
【考案の概要】
【考案が解決しようとする課題】
【０００４】  本考案は、人工衛星の機器の寿命に伴なう無線操作が制御不能になった状態が生じて飛行中の人工衛星が墜落したり、飛来する巨大隕石が墜落したりすることに伴なう人や建物に激突する重大な事故を防止するために、宇宙ロケットに装備する墜落事故防止システムを提供することで前述の問題の解決を目的とするものである。
【課題を解決するための手段】
【０００５】  本考案は、上記課題を解決するための手段として次の構成を有している。
従来の宇宙ロケットの上部に装備することにより、墜落に伴なう重大な事故を防止するシステムを特徴としている。【０００６】  上記の墜落事故防止システムは、飛行中の人工衛星や飛来する巨大隕石が墜落する際に宇宙ロケットの上部に装備された捕獲装置を人工衛星や巨大隕石に発射して強靭なロープとネットにより人工衛星や巨大隕石を捕獲するとともに、宇宙ロケットで牽引して地球に墜落する軌道上から逸らすとともに、遠方の宇宙空間で捕獲装置を切り離すことにより、飛行中の人工衛星や巨大隕石の墜落を防止することで人や建物に激突する重大な事故が起ることを解決できる。【０００７】  又、巨大隕石を地球に墜落する軌道上から逸らすことが困難な場合には、宇宙ロケットに装備された自爆装置を作動させ爆破させることにより墜落を防止することで人や建物に激突する重大な事故が起ることも解決できる。
【考案の効果】
【０００８】  本考案の墜落事故防止システムは、従来の宇宙ロケットに装備することが可能で、装備された捕獲装置により人工衛星や巨大隕石を捕獲するとともに、宇宙ロケットで牽引して地球に墜落する軌道上から逸らすとともに、遠方の宇宙空間で捕獲装置を切り離すことにより、大気圏に到達するまでの早い段階で飛行中の人工衛星や巨大隕石の墜落に伴なう重大な事故を防止できる効果がある。【０００９】  又、本考案の墜落事故防止システムは、従来の宇宙ロケットに取り付けることが可能で、巨大隕石を地球に墜落する軌道上から逸らすことが困難な場合には、宇宙ロケットに装備された自爆装置を作動させ爆破させることにより、大気圏に到達するまでの早い段階で墜落に伴なう重大な事故を防止できる効果がある。
【図面の簡単な説明】
【００１０】
【図１】本考案の実施形態を示す墜落事故防止システムの展開図
【考案を実施するための形態】
【００１１】  図１を参照して本考案の好適な実施例を説明すると、この実施例の墜落事故防止システムは、従来の宇宙ロケットに装備する捕獲装置と自爆装置により人工衛星や巨大隕石の墜落に伴なう重大な事故を防止できる機能を発揮するものである。
【実施例】
【００１２】  図１にある墜落事故防止システム１は、宇宙ロケットの上部に捕獲装置２と自爆装置３とを装備する基本構成としている。【００１３】  図１にある墜落事故防止システム１は、捕獲装置２に格納された強靭なロープとネット４の先端に取付けられた推進装置付アンカー５を人工衛星や巨大隕石に向けて発射して捕獲するとともに、推進装置付アンカー５が相互に連結する機能を有していて捕獲後に宇宙ロケットで牽引して地球に墜落する軌道上から逸らすとともに、遠方の宇宙空間で捕獲装置２を切り離すことにより、人工衛星や巨大隕石の墜落に伴なう重大な事故を防止することができる。又、自爆装置３により巨大隕石を地球に墜落する軌道上から逸らすことが困難な場合には、宇宙ロケットに装備された自爆装置３を作動させ爆破させることにより、巨大隕石の墜落に伴なう重大な事故を防止することができる。
【符号の説明】
【００１４】１は墜落事故防止システム、２は捕獲装置、３は自爆装置、４は強靭なロープとネット、５は推進装置付アンカーである。
【図１】
0003213823.tif 000003
【手続補正書】
【提出日】平成29年8月28日(2017.8.28)
【手続補正１】
【補正対象書類名】実用新案登録請求の範囲
【補正対象項目名】全文
【補正方法】変更
【補正の内容】
【実用新案登録請求の範囲】
【請求項１】
人工衛星の機器の寿命に伴なう無線操作が制御不能になった状態が生じて飛行中の人工衛星の墜落や飛来する巨大隕石の墜落することに伴なう人や建物に激突する重大な事故に対応するため、先端に推進装置付アンカーが取り付けられたロープとネットを備えた捕獲装置と、宇宙ロケットに装備された自爆装置とを備えた墜落事故防止システムとしての特徴をもつ人工衛星や巨大隕石の墜落に伴なう重大事故防止システム。
【手続補正書】
【提出日】平成29年10月4日(2017.10.4)
【手続補正１】
【補正対象書類名】実用新案登録請求の範囲
【補正対象項目名】全文
【補正方法】変更
【補正の内容】
【実用新案登録請求の範囲】
【請求項１】
人工衛星の機器の寿命に伴なう無線操作が制御不能になった状態が生じて飛行中の人工衛星の墜落や飛来する巨大隕石の墜落することに伴なう人や建物に激突する重大な事故に対応するため、先端に推進装置付アンカーが取り付けられたロープとネットを備えた捕獲装置と、宇宙ロケットに装備された自爆装置とを備えた墜落事故防止システムとしての特徴をもつ人工衛星や巨大隕石の墜落に伴なう重大事故防止システム。
(57)【要約】      （修正有）【課題】持ち運びしやすく日用品として使いながら学習や元素周期表を広めることに役立つ元素周期表扇子を提供する。【解決手段】長方形の元素周期表を扇形に変形して扇子にピッタリ合う図柄として用いる。扇子の開き具合により特定の族だけを確認したり、全体を確認でき中高生の学習上役に立つだけでなく、一般の人や海外の人へ元素周期表を広めるのに役立つ。【選択図】図１
0003213844.tif 000002
【実用新案登録請求の範囲】
【請求項１】
長方形の元素周期表を扇形に変形し、扇子の図柄として使用する事を特徴とする元素周期表扇子。
【考案の詳細な説明】
【技術分野】
【０００１】  本考案は、通常四角い元素周期表を扇形に変形させた元素周期表の図柄を持つ扇子に関するものである。
【背景技術】
【０００２】  持ち運び可能な元素周期表は、下敷きやクリアファイルの形状が多く扇子の図柄としては和風の絵がほとんどである。
【考案の概要】
【考案が解決しようとする課題】
【０００３】  元素周期表は、長方形で下敷きやクリアファイルのような平たい形状のものが多かった。元素周期表を扇形に変形させて扇子の図柄とすることにより、持ち運びしやすく確認したい縦方向の族だけを確認出来、広げれば全体も確認することが出来、学習上役に立つ。日用品の扇子という形にすることより元素周期表を学習に役立てるだけでなく、一般の人へも親しみやすいものにする事ができる。
【課題を解決するための手段】
【０００４】  長方形の元素周期表を扇形に変形させて扇子の図柄として用いる。
【考案の効果】
【０００５】  元素周期表を扇子にすることにより扇子の開き具合により特定の縦方向の族だけを確認したり、大きく開く事で全体も確認する事ができ中高生の学習上役に立つ。【０００６】  元素周期表を日用品の扇子にすることにより一般の人や和風ものに興味を持つ海外の人にも広める事ができる。
【図面の簡単な説明】
【０００７】
【図１】本考案の元素周期表扇子の正面図である。
【図２】本考案の扇形にした元素周期表の正面図である。
【図３】従来からある長方形の元素周期表
【考案を実施するための形態】
【０００８】  扇形に変形した元素周期表を図柄として扇子を作成する。
【実施例】
【０００９】  以下添付図面に従って実施例を説明する。２のように扇形に変形させた元素周期表を作成し、扇子の図柄として用い１のような元素周期表扇子を作成する。
【符号の説明】
【００１０】    １  元素周期表扇子
２  扇形元素周期表
３  元素周期表
【図１】
0003213844.tif 000003
【図２】
0003213844.tif 000004
【図３】
0003213844.tif 000005
(57)【要約】      （修正有）【課題】背中に当て掻く部分を広くし、痛みが無く気持ちよく掻くことが出来る（ひ孫の手）を提供する。【解決の手段】孫の手の先の曲がりをなくし、把手１の先を平らにして、平らな面にスポンジ４を接着した容器３を取り付ける。合成樹脂で把手と容器を一体成形し、容器にスポンジを入れてもよい。【選択図】図２
0003213946.tif 000002
【実用新案登録請求の範囲】
【請求項１】
把手の先を平で広くとり、広い面にスポンジを入れた容器を取り付けた、（ひ孫の手）
【請求項２】
合成樹脂にて把手と一体成形した容器にスポンジを取り付けた、（ひ孫の手）
【考案の詳細な説明】
【考案の詳細な説明】
【技術分野】
【０００１】本考案は、背中を掻く（ひ孫の手）の構造である。
【背景技術】
【０００２】背中がかゆくて掻く器具には孫の手があったが、これは竹を割り先端を曲げ筋を入れた構造になっているが、局部的に背中に当たる為痛く感じてしまう。
【考案の開示】
【考案が解決しようとする課題】
【０００３】上記の問題を解決するには、背中に当て掻く部分を広くすれば痛みが無く気持ちよく掻くことが出来る
【課題を解決するための手段】
【０００４】把手の先を広くし目の粗いスポンジは男性用に、目の細かいスポンジは女性用に把手の先の広くした面に取り付ける。
この器具を背中に差し込みスポンジで背中を掻くようにした（ひ孫の手）の構造である。
【考案の効果】
【０００５】従来の孫の手では背中に当たる面が小さいため痛く感じるが、本考案の（ひ孫の手）では当たる面が広いため痛みは無く心地よく背中を掻くことができる。
【考案を実施するための最良の形態】
【０００６】把手の棒の先を広く取り、広くした面にスポンジを取り付ける。
【実施例】
【０００７】以下添付図面にて実施例を説明する。
図１は本考案の把手１の平面図であるが、図２は把手１の先を大きく平らにした把手１の先２にスポンジ４を容器３に取り付けた平面図であり、図３はスポンジ４を容器３に入れ把手１の先２に取り付けた側面図であり、スポンジ４を把手１の先に直接取り付けてもよいが、スポンジ４は底の浅い容器３に入れ、図３の側面図のように把手１の先にスポンジ４を入れた容器３を取り付けるようにした（ひ孫の手）の考案であるが、スポンジ４を把手１の先２に取り付けた場合は、把手を背中に差し込む時スポンジ４が衣類に引っかかり背中に差し込めない事が有るが、スポンジ４を容器３に入れることによりスポンジ４が横にはみ出さず衣類に引っかからないため衣類の下を潜り背中に到達する。
把手１とスポンジ４を入れる底の浅い容器３を図４及び図５のように合成樹脂にて一体成形し、スポンジ４を容器５に入れるようにした（ひ孫の手）の考案である。
又女性用にはピンク色の柔らかいスポンジを、男性用には青色の硬めのスポンジを使用すると良い。
【図面の簡単な説明】
【図１】  把手の平面図
【図２】  把手の先の容器にスポンジを入れた平面図
【図３】  把手の先の容器にスポンジを入れた側面図
【図４】  合成樹脂にて把手と一体成形した容器にスポンジを入れた平面図
【図５】  合成樹脂にて把手と一体成形した容器にスポンジを入れた側面図
【符号の説明】  １          把手
２          把手１の先
３          スポンジを入れた容器
４          スポンジ
５          合成樹脂にて一体成形した容器
【図１】
0003213946.tif 000003
【図２】
0003213946.tif 000004
【図３】
0003213946.tif 000005
【図４】
0003213946.tif 000006
【図５】
0003213946.tif 000007
【手続補正書】
【提出日】平成29年9月25日(2017.9.25)
【手続補正１】
【補正対象書類名】実用新案登録請求の範囲
【補正対象項目名】全文
【補正方法】変更
【補正の内容】
【実用新案登録請求の範囲】
【請求項１】
把手の先を平で広くとり、広い面にスポンジを入れた容器を取り付けた、ひ孫の手。
【請求項２】
合成樹脂にて把手と一体成形した容器にスポンジを取り付けた、請求項１に記載のひ孫の手。
(57)【要約】      （修正有）【課題】夕方の下肢のむくみや、疲労、就寝中のこむら返りを手軽に解決できる美脚ローラーを提供する。【解決手段】最深部より順に、軸部と、ローラー回転部と、ローラー回転部の表面に設けられた複数のツボ刺激の為のスポンジ突起７と、スポンジ突起を覆うように設けられた押圧主部であるスポンジ６と、スポンジを覆うように設けられたビニールレザー５によって構成される。筋肉の状態に合わせた加圧で、余剰水分や老廃物・疲労物質の流逸を図り、同時に種々のツボを刺激する。【選択図】図２
0003213943.tif 000002
【実用新案登録請求の範囲】
【請求項１】
ローラーにて筋肉を圧迫することによる血流改善と期待される効果として、疲労回復や美脚効果がある。更に表層スポンジの下層にあたるローラー表面にスポンジ片をつけることによるツボ刺激とのダブル効果を特徴とする健康器具。
【考案の詳細な説明】
【技術分野】
【０００１】  本考案は、外側ロール部分にスポンジを巻いた健康器具に類するものである。
【背景技術】
【０００２】  身体部で特に下肢は血流（静脈血）が重力に逆らってなされる為、むくみやダルさを感じる人が多い。
【考案の概要】
【考案が解決しようとする課題】
【０００３】  立ち仕事の人や、デスクワークの人は、夕刻ふくらはぎがむくみ易く、入浴と就寝のみでは解消しないことが多い。従って翌日まで足の疲労感を持ち越すこととなり、マッサージその他で時間と金銭を費やす結果となっている。
【課題を解決する為の手段】
【０００４】  軸棒の外側のパイプが、局部を押圧しながら回転する。外側パイプにスポンジを巻き、クッションをつけ、施術時の圧痛を軽減する。更にスポンジの下側（外側パイプ表面）にスポンジ片を付着することによるツボ刺激効果。
【考案の効果】
【０００５】  セルフ又は他者に施す場合、場所や時間を選ばず、特別な技術も不要である。５分前後の実施で、疲労回復と血行不良による種々の愁訴を予防改善することが可能。
【図面の簡単な説明】
【０００６】
【図１】本考案の美脚ローラーの本体を示した平面図である。
【図２】本美脚ローラーの断面図である。
【図３】ローラー回転部に凸部品をつけた図である。
【図４】外側スポンジの装着前の図である。
【考案を実施するための形態】
【０００７】  セルフで行う場合、体育座り又は椅子に腰かけ、ふくらはぎや大腿部をローラーにてなであげる。他者に施す場合は、伏臥位にて足裏からふくらはぎ、大腿後側迄をソフトになであげる。
セルフ時の足裏刺激は、ローラーの上に足裏を載せ、足を前後に動かすことで、足裏のツボを刺激する。
【実施例】
【０００８】  以下、添付図面に従って一実施例を説明する。
図１−１は耐久性のプラスチックや塩化ビニルパイプ等の適宜素材とゴムスポンジ及びビニールレザーで構成された美脚ローラー本体である。
図１−３を両手で押さえ、筋肉に沿って動かす。
図１−２が回転しながら局部を押圧する。【０００９】  最初に皮膚面に接触するのは、図２−５のビニール製レザー部で、順次図２−６のスポンジ層、図２−７の凸状スポンジとなり、三層のクッションにて施術を快適かつ健康増進へと繋げる。
【符号の説明】
【００１０】１  美脚ローラー本体
２  ローラー回転部
３  取っ手
４  軸部
５  ビニールレザー
６  押圧主部であるスポンジ
７  ツボ刺激の為のスポンジ突起
８  軸と回転部間（接着剤にて固定）
【図１】
0003213943.tif 000003
【図２】
0003213943.tif 000004
【図３】
0003213943.tif 000005
【図４】
0003213943.tif 000006
【手続補正書】
【提出日】平成29年9月25日(2017.9.25)
【手続補正１】
【補正対象書類名】実用新案登録請求の範囲
【補正対象項目名】請求項１
【補正方法】変更
【補正の内容】
【請求項１】
最深部より順に、軸部（４）と、ローラー回転部（２）と、前記ローラー回転部（２）の表面に設けられた複数のツボ刺激の為のスポンジ突起（７）と、前記ツボ刺激の為のスポンジ突起（７）を覆うように設けられた押圧主部であるスポンジ（６）と、前記押圧主部であるスポンジ（６）を覆うように設けられたビニールレザー（５）によって構成された美脚ローラー。
(57)【要約】【課題】  上肢を吊るすことによる首や肩への圧力を分散し、身体の負担を軽減させるアームホルダーを提供する。【解決手段】  本考案は両肩と両脇の４点にベルトを通し、上肢を包む布を両肩からベルトで吊るすことで首や肩への圧力を分散させ、身体の負担を軽減させる。【選択図】図１
0003213971.tif 000002
【実用新案登録請求の範囲】
【請求項１】
両肩と両脇の４点にベルトを通し、そのベルトで両肩から上肢を包む布を吊るすことで首や肩への圧力を分散させて身体の負担を軽減する上肢固定アームホルダー。
【考案の詳細な説明】
【技術分野】
【０００１】  本考案は、首や肩への圧力を分散させて身体の負担を軽減する上肢固定アームホルダーに関するものである。
【背景技術】
【０００２】  上肢の捻挫や脱臼などの固定のため、又は骨折の治療用の石膏ギプスを支えるために三角巾やアームホルダーが用いられていた。
【考案の概要】
【考案が解決しようとする課題】
【０００３】  三角巾や現行のアームホルダーは、腕を首や片肩から吊るすだけの構造のため、首や肩への圧迫による身体の負担が大きかった。従って、本考案は上肢を両肩から吊るすことにより首や肩にかかる圧力を分散させ、前述の欠点を解決しようとするものである。
【課題を解決するための手段】
【０００４】  本考案は両肩と両脇の４点にベルトを通し、そのベルトで両肩から上肢を包む布を吊るすことで首や肩への圧力を分散させる。
【考案の効果】
【０００５】  本考案は上肢を包む布を両肩からベルトで吊るすことで首や肩への圧力を分散させ、身体の負担を軽減させることが出来る。
【図面の簡単な説明】
【０００６】
【図１】本考案のアームホルダーの前面図である。
【図２】本考案のアームホルダーの側面図である。
【考案を実施するための形態】
【０００７】  以下、添付図面に従って一実施例を説明する。両肩と両脇の４点にベルトを通し、左右それぞれのベルトを、金具▲１▼で接続し、脇の下を通したベルト▲２▼の端を上肢を包む布▲３▼に連結している２つの金具▲４▼に通してマジックテープ▲５▼で止めて接続する。
【符号の説明】
【０００８】▲１▼  金具
▲２▼  脇の下を通したベルト端
▲３▼  上肢を包む布
▲４▼  ▲３▼とベルトを連結する金具
▲５▼  長さ調節を可能にするためのマジックテープ
【図１】
0003213971.tif 000003
【図２】
0003213971.tif 000004
(57)【要約】      （修正有）【課題】紙パイプを使用する事で安価で強度に優れ、組み立て、分解も容易で、コンパクトに収納が可能で、廃棄処分費用も掛からず、再生利用出来る組み立て式ワゴンを提供する。【解決手段】太い厚紙パイプからなる少なくとも４本の縦枠と、縦枠に端部が連結された細い厚紙パイプからなる複数の横枠と、棚板とを備える組み立て式ワゴンであって、縦枠に穴が形成され、その穴に横枠の端部が差し込まれることで縦枠と横枠とが連結可能になっていて、平行に対抗する一対の横枠２が４本の縦枠１に連結され、一対の横枠の上に棚板が載置可能であり、一対の横枠と直行する向きで平行に対向させた別の一対の横枠３が、一対の横枠２よりも高い位置で４本の縦枠に連結され、別の一対の横枠が、棚板から物が落ちることを防止するための転び止めになっている。【選択図】図１
0003213975.tif 000002
【実用新案登録請求の範囲】
【請求項１】
太い厚紙パイプからなる少なくとも４本の縦枠と、前記縦枠に端部が連結された細い厚紙パイプからなる複数の横枠と、棚板とを備える組み立て式ワゴンであって、
前記縦枠に穴が形成されていて、その穴に前記横枠の端部が挿し込まれることで前記縦枠にと前記横枠とが連結可能になっていて、
平行に対向する一対の前記横枠が前記４本の縦枠に連結されており、この一対の横枠の上に前記棚板が載置可能であり、
前記一対の横枠と直行する向きで平行に対向させた別の一対の横枠が、前記一対の横枠よりも高い位置で前記４本の縦枠に連結されていて、この別の一対の横枠が、前記棚板から物が落ちることを防止するための転び止めになっていることを特徴とする組み立て式ワゴン。
【請求項２】
前記縦枠の下端にキャスターが取り付けられていることを特徴とする請求項１に記載の組み立て式ワゴン。
【考案の詳細な説明】
【技術分野】
【０００１】      本考案は、安価で強度に優れ軽量にこだわった組み立て式ワゴンに関するものである。
【背景技術】
【０００２】      先行技術文献には継部材で枠筒をつないだ組み立て式台枠が記載されている。
【先行技術文献】
【特許文献】
【０００３】
【特許文献１】実開昭４９−１２２４号公報
【考案の概要】
【考案が解決しようとする課題】
【０００４】      特許文献に記載された組み立て式台枠は継部材が必要であり、複雑な構造のものである。このため、部品点数が多いと共に、廃棄時の処分にも時間や費用を要する。本考案は、構造が簡単でありながら、強度が高く軽量で安価な組み立て式ワゴンを提供することを目的とする。
【課題を解決するための手段】
【０００５】      太い厚紙パイプからなる少なくとも４本の縦枠と、前記縦枠に端部が連結された細い厚紙パイプからなる複数の横枠と、棚板とを備える組み立て式ワゴンであって、
前記縦枠に穴が形成されていて、その穴に前記横枠の端部が挿し込まれることで前記縦枠にと前記横枠とが連結可能になっていて、
平行に対抗する一対の前記横枠が前記４本の縦枠に連結されており、この一対の横枠の上に前記棚板が載置可能であり、
前記一対の横枠と直行する向きで平行に対向させた別の一対の横枠が、前記一対の横枠よりも高い位置で前記４本の縦枠に連結されていて、この別の一対の横枠が、前記棚板から物が落ちることを防止するための転び止めになっていることを特徴とする。【０００６】      さらに、前記縦枠の下端にキャスターを取り付けることにより、移動を行いやすくなる。【０００７】      支柱になる４本の太い厚紙パイプに段差を付けて穴を開け、細い厚紙パイプを前後左右に差し込む段差の下の穴に挿し込んだパイプの上には厚紙の棚板を載せる。段差の上の穴に挿し込んだパイプは、物を載せた時など落下防止になる。
【考案の効果】
【０００８】      厚紙パイプは、安価、軽量、比較的強度が高く、工具を使わずに脱着が容易である。使用しなくなった場合、袋に入れて場所を取らず保管が出来る。又、廃棄の時は廃棄処分の費用も掛からず、経済的負担が少なく再生される利点がある。また、前後のパイプの長さを変えると、様々な大きさのワゴンが出来る。
さらに、キャスターを付けることにより、重量のある物を載せても移動がスムーズになる。
【図面の簡単な説明】
【０００９】
【図１】本考案の組み立て式ワゴンの実施例を示す斜視図。
【図２】本考案の組み立て式ワゴンを分解して袋に収納した状態を示す説明図。
【考案を実施するための形態】
【００１０】  ４本の厚紙パイプを柱にし、１段毎につき段差を付けて穴を開け、前後、左右に厚紙パイプを差し込み棚を作る。下段のパイプ上に厚紙の台を置き、物を載せる上段パイプは載置した物の落下を防ぐ役目になる。
また、下端下側には、はめ込み式のキャスターを付けることができる。
【実施例】
【００１１】  図１〜図２に従って実施例を説明する。太めの厚紙パイプ１に段差を付けて穴を開け、細めの厚紙パイプ３を挿し込む。上側の穴にも細めの厚紙パイプ２を挿し込む。このように、太い厚紙パイプ１に穴を開けて複数段の棚を作る。【００１２】  太い厚紙パイプからなる少なくとも４本の縦枠がある。縦枠１に端部が連結された細い厚紙パイプからなる複数の横枠２と横枠３がある。さらに棚板５（図示せず）を設ける。
縦枠１に穴が形成されており、その穴に横枠２、３の端部が挿し込まれることで縦枠１と横枠２，３が連結可能になっている。平行に対向する一対の横枠３が４本の縦枠１に連結されている。この一対の横枠２の上に棚板５が載置可能である。
一対の横枠２と直交する向きで平行に対向させた別の一対の横枠３がある。この別の横枠３が、一対の横枠２よりも高い位置で４本の縦枠に連結されている。この別の一対の横枠３が棚板５から物が落ちることを防止するための転び止めになっている。
縦枠１の下端にキャスター４を取り付けることもできる。
縦枠１の上部にパイプの蓋６が付いている。蓋６があるとパイプ内に埃が入らない。
縦枠１、横枠２，３を引き抜いて分解して、袋１０に入れて収納することができる。
【産業上の利用可能性】
【００１３】  本考案の組み立て式ワゴンは、載置台として使用できるとともに、陳列台等にも使用可能である。軽量、かつ高強度で人や物にも安全で、家の中でも頻繁に使う物を載せて身近に移動が出来、子供やお年寄りにも危険がない。使用しないときは、工具を使わなくて脱着が出来、収納の場所を取らずにできる。また、パイプ等にカラーを付けて作成した場合、部屋のインテリアにもなる。
【符号の説明】
【００１４】  １．  本体ワゴンの太めの厚紙パイプ
２．  本体ワゴンを支える、また棚を置く為の細めの厚紙パイプ
３．  本体ワゴンを支える、また物の落下防止の為の厚紙パイプ
４．  キャスター
５．  棚に置く厚紙板
６．  パイプで空洞の為、埃やゴミが入らぬ様塞ぐキャップ
１０．袋
【図１】
0003213975.tif 000003
【図２】
0003213975.tif 000004
(57)【要約】      （修正有）【課題】手作業しながらハンドマイクが使える、ハンドマイクが着脱できる名札ストラップを提供する。【解決手段】名札ストラップ１は、本線２に側線３が取り付けられている。この側線３の下端には本線２より大口径のＤカン５が付いている。側線３の上端は接着又は、縫製によって本線２に取り付けられている。本線２はＤカン５に通されていて、側線３下端に取り付けられたＤカン５は、本線２上を上下にスライドすることができる。このＤカン５を押し上げると本線２と側線３の間に湾曲したスペースができる。このスペースにマイク固定保持具の両翼を挟んで、マイク固定保持具は着脱することができる。【選択図】図１
0003213978.tif 000002
【実用新案登録請求の範囲】
【請求項１】
本考案のハンドマイクが着脱できる名札ストラップ１は、名札ストラップにハンドマイク１１を着脱することができる、
この名札ストラップは、本線２に側線３が取り付けられている、この長さ３０ｃｍほどの側線３の下端には本線２より大口径のＤカン５が付いている側線３の上端は接着又は、縫製によって本線２に取り付けられている、
本線２はＤカン５に通されていて、側線３下端に取り付けられたＤカン５は、本線２上を上下にスライドすることができる、
このＤカン５を押し上げると本線２と側線３の間に湾曲したスペースができる、
このスペースにマイク固定保持具６の両翼を挟んで、マイク固定保持具６は着脱することができる、このマイク固定保持具６は、ウレタン樹脂などのスポンジ製で、横３０ｃｍ高さ１０ｃｍ奥行き１０ｃｍの長方形の塊で、上面中央からハンドマイクの持ち手が入るほどの丸い穴が上下に貫通している、
マイクは、この穴に入れられて保持されるがマイクヘッド１２は穴１０より上方に出ている、以上を特徴とした、ハンドマイクが着脱できる名札ストラップ１．
【考案の詳細な説明】
【技術分野】
【０００１】本考案は、名札ストラップにハンドマイクが着脱できるようにしたストラップに関する。
【背景技術】
【０００２】従来ハンドマイク１１は手に持って使用するが、手が塞がっているときは、使用できない。
【考案の概要】
【考案が解決しようとする課題】
【０００３】手が塞がっていても、ハンドマイク１１を使えるようにしたい、
【課題を解決するための手段】
【０００４】本考案の、  ハンドマイクが着脱できる名札ストラップ１においては、図２で示すようにＤカン５を上に押し上げると本線２と側線３の間に湾曲したスペースができる、このスペースにマイク固定保持具６の両翼を挟んで固定され、マイクは、口の前で維持される、【０００５】以下、図７により従来のハンドマイクについて説明するとハンドマイクは、手で持って口の前に保持して使用した、
【考案の効果】
【０００６】例えば、このハンドマイクが着脱できる名札ストラップ１を使えば料理教室で大勢の生徒に対して先生が料理をしながらマイクで説明することができる。
【図面の簡単な説明】
【０００７】
【図１】本考案の実施形態を示す正面図である、
【図２】Ｄカンを押し上げて本線と側線の間にできた湾曲したスペースを示した正面図
【図３】ハンドマイクの斜視図
【図４】マイク固定保持具６の斜視図
【図５】マイク固定保持具６のマイク１１を入れる貫通した穴にマイク１１を差し込んだ状態を示した斜視図
【図６】人が、ハンドマイクが着脱できる名札ストラップ１を着用した状態を示した斜視図
【図７】マイクを手に持って使用する従来の方法を示した斜視図
【考案を実施するための形態】
【０００８】マイク固定保持具６を着脱できるようにした名札ストラップ
【実施例】
【０００９】これを使用する人は、このハンドマイクが着脱できる名札ストラップ１の本線２を首に掛け      Ｄカン５を上方に押し上げると、本線２と側線３の間に湾曲したスペースができるので、そのスペースにマイク固定保持具６の両翼を挟んで取り付け、マイク１１を保持具６に差し込んで使用することができる
【産業上の利用可能性】
【００１０】両手で作業をしながらマイク１１を通して大勢の人に説明することができる
【符号の説明】
【００１１】１    ハンドマイクが着脱できる名札ストラップ
２    平布でなるストラップの本線は、幅１ｃｍから２ｃｍ厚さ１ｍｍである
３    ストラップの側線
４    側線上端を本線に取り付けた固定部
５    側線下端のＤカンは、本線より大口径である
６    ハンドマイク固定保持具
７    ナスカン又は甲丸スナップ
８    名札
９    人
１０  マイク固定保持具のマイクを入れる貫通した穴
１１  ハンドマイク
１２  ハンドマイクのヘッド
【図１】
0003213978.tif 000003
【図２】
0003213978.tif 000004
【図３】
0003213978.tif 000005
【図４】
0003213978.tif 000006
【図５】
0003213978.tif 000007
【図６】
0003213978.tif 000008
【図７】
0003213978.tif 000009
(57)【要約】      （修正有）【課題】洗顔や台所の水仕事などの時に、手のひらから腕の表面を伝わって流れる水で衣服の袖口が濡れたり、水滴が床に落ちて床面が濡れたり汚れたりしないための腕カバーを提供する。【解決手段】腕カバー１の手首側端に、手首に密着して伸縮自在に固定する手首側固定口部２が設けてあり、肘手前に届く腕側端の広口部３の方向に数センチ進んだ地点に流水が広口部３に伝い流入するのを防ぐために、別個に用意したリング体を腕カバー１の内部に挿着して、フランジ状を保持させて形成された流入遮断部６を設けている。流入遮断部６の広口部側端、即ちフランジ状の裾部に手首に密着する手首絞り部４を設けている。そこから広口部３までは腕回りに余裕をもってカバーする腕カバー部８を成す袖濡れ防止腕カバーで、袖口の濡れと床面の濡れ防止に役立つ。【選択図】図１
0003213976.tif 000002
【実用新案登録請求の範囲】
【請求項１】
手首側端に、手首に密着して伸縮自在に固定する手首側固定口部が設けてあり、肘手前に届く腕側端の広口部の方向へ数センチ進んだ地点に別個に用意されたリング体を内部に挿着してフランジ状を保持させて形成された流入遮断部を設けてあり、流入遮断部の広口部側端に手首に密着する手首絞り部を設けてあり、そこから広口部までは腕回りを余裕をもってカバーする腕カバー部を成すことを特徴とする袖口濡れ防止腕カバー。
【考案の詳細な説明】
【技術分野】
【０００１】  本考案は、洗顔や台所の水仕事などの時に、手のひらから腕の表面を伝わって流れる水で衣服の袖口が濡れたり、水滴が床に落ちて床面が濡れたり汚れたりしないための腕カバーに関するものである。
【背景技術】
【０００２】  従来、洗顔時に衣服の袖口が濡れないように、吸水性のあるスポーツ用リストバンドを手首の外周部に縫合した、特許文献１に開示されている腕カバーがあった。
【先行技術文献】
【特許文献】
【０００３】
【特許文献１】実用新案登録第３１８１８２２号  公報
【考案の概要】
【考案が解決しようとする課題】
【０００４】  特許文献１にあっては、次のような欠点があった。
（イ）洗顔時に、手のひらから溢れでる水の量は多いので、リストバンドで吸水しきる        ことはできない。
（ロ）濡れたリストバンドを再使用するまでに乾かす必要があるが、厚地のリストバン        ドの乾燥に長い時間が掛かるため使い勝手がよくない。
本考案は、これらの欠点を解決するためになされたものである。
【課題を解決するための手段】
【０００５】  洗顔や台所の水仕事などに際して装着し、手首から肘手前辺りまでの領域で衣服袖口の濡れを防止するための撥水性の腕カバーであって、手首側端に手首に密着して伸縮自在に固定する手首側固定口部が設けてあり、肘手前に届く腕側端の広口部の方向に約３〜４センチ進んだ地点に流水が広口部に伝い流入するのを防ぐために、別個に用意されたリング体を内部に挿着してフランジ状を保持させて形成された流入遮断部を設けてあり、流入遮断部の広口部側端、即ちフランジ状の裾部に、手首に密着する手首絞り部を設けてあり、そこから広口部までは腕回りを余裕をもってカバーする腕カバー部を成すことにより問題を解決している袖口濡れ防止腕カバー。
【考案の効果】
【０００６】  上述の様に、本考案の袖口濡れ防止腕カバーは、手首側端に手首に密着して伸縮自在に固定する手首側固定口部が設けてあり、リング体を腕カバーの内部に挿着して、フランジ体を形成した流入遮断部を設けた撥水性の腕カバーであることにより、次の効果がある。
（イ）洗顔や台所の水仕事などの時、手のひらから溢れた水は、手首側固定口部に遮られ    るため、衣服の袖口が濡れない。
（ロ）さらに、流れる水や水溶液は流入遮断部によって遮られて、洗面ボウルの中へと自    然落下するため、洗面所の床が濡れて汚れることもない。
（ハ）撥水性により、腕カバー部への浸透がないため、乾燥の必要がなくいつでもすぐに    使用することができる。
【図面の簡単な説明】
【０００７】
【図１】本考案の袖口濡れ防止腕カバーを示す斜視図である。
【図２】本腕カバーのリング体を挿着する方法を示す斜視図である。
【図３】リング体平面図である。
【図４】本腕カバーの実施例を示す斜視図である。
【考案を実施するための形態】
【０００８】  以下、本考案を実施するための形態を図１から図４を利用して説明する。
本考案は、図１、図２に示すように腕カバー１と流入遮断部６を保持するリング体５より構成される。腕カバー１は、防水や撥水性のポリエステル等適宜素材で手首部分にフランジ状の流入遮断部６を持ち、腕カバー部８は腕回りを余裕をもってカバーする。
【実施例】
【０００９】  本考案の腕カバー１を使用する場合は、図２、図３に示すようにリング体５を変形させて広口部３より挿入して、手首側固定口部２と手首絞り部４の間に挿着させると図１に示すようなフランジ状の流入遮断部６が形成される。【００１０】  流入遮断部６を形成するリング体５は、ゴム系や合成樹脂等適宜素材で、流水を効果的に分水させ、流水がより身体から遠く離れるために考案された不円形のものであっても良い。【００１１】  本考案の腕カバー１を、図４に示すような水道水７を流して洗顔時の実証試験を行った結果、次の効果が得られた。
（イ）腕カバー１を使用しない場合は、前もって衣服が濡れないように袖口を肘あたりま    で捲し上げ、さらに腰を深く曲げて手のひらを肘の高さより低くする無理な姿勢が必    要であった。この状態で洗顔した結果、無意識のうちに手のひらは肘より高い位置に    なり、手のひらから溢れた水道水７が腕の表面を伝わって捲し上げた袖口を濡らし、    さらに洗面所の床に滴り落ちて床が濡れ汚れてしまった。
（ロ）腕カバー１を使用した場合は、長袖の上から腕カバー１を装着して、手のひらが肘    より高い楽な姿勢で行った。この状態で洗顔した結果、手のひらから溢れた水道水７    は手首側固定口部２で遮られて袖口が濡れることはなかった。さらに流れる水道水７    は、流入遮断部６で遮られて洗面ボウルの中へと落ちるため洗面所の床が濡れること    がなかった。【００１２】  リング体５により形成された流入遮断部６は、リング体５の元々の形状を復元する力により保持されているため、水道水７の流水などで潰れたり変形したりすることがない。【００１３】  洗顔をする際、意識して腰を深く曲げることが難しい高齢の方や、腰を曲げることに障害がある方にとって利用価値が高い。
また、洗顔や水仕事などで袖口を捲し上げる必要がないため、シャッツ等の袖口のシワやセーターなどの袖口が伸びるなどの心配がなく、寒い時期の使用などにも適している。
【符号の説明】
【００１４】  １  腕カバー
２  手首側固定口部
３  広口部
４  手首絞り部
５  リング体
６  流入遮断部
７  水道水
８  腕カバー部
【図１】
0003213976.tif 000003
【図２】
0003213976.tif 000004
【図３】
0003213976.tif 000005
【図４】
0003213976.tif 000006
(57)【要約】      （修正有）【課題】洗濯時に洗濯ネットのファスナーが開き、洗濯物が飛び出すと言う不満を解消する洗濯ネットを提供する。【解決手段】ファスナースライダーの引手１に面ファスナーを縫製した生地を使用し、またネット本体にも面ファスナーを取り付け、洗濯時に互いの面ファスナーを接合する事によりファスナー３が開かない事を特徴とする。【選択図】図１
0003213972.tif 000002
【実用新案登録請求の範囲】
【請求項１】
洗濯時洗濯物を入れる洗濯ネットにおいて、ファスナースライダーの引手部に面ファスナーを縫製した生地を使用し、またネット本体のメッシュ生地にも面ファスナーを取り付け、面ファスナー同士が着脱可能で有る事を特徴とする洗濯ネット。
【請求項２】
ネット本体側の面ファスナーは、ファスナー閉鎖時の対向位置に取り付けた事を特徴とする請求項１記載の洗濯ネット。
【請求項３】
ファスナースライダーの引手部は、縦１０ｍｍ以上、横１０ｍｍ以上の大きさであることを特徴とする請求項２記載の洗濯ネット。
【考案の詳細な説明】
【技術分野】
【０００１】本考案は、洗濯ネットの製造方法に関するものである。
【背景技術】
【０００２】ファスナースライダー引手部にロック機能を設け、引手部を規定の方向に倒すとロックが掛かり開かなくなるファスナーは洗濯ネットにも利用されている。【０００３】しかしロック機能を設けたファスナースライダー引手は金属製で、洗濯機の洗濯層や他の洗濯物を破損させる恐れがある。
【考案の概要】
【考案が解決しようとする課題】
【０００４】本考案の目的は、ロック機能を設けた金属製のファスナースライダーを使用せずに、ファスナースライダー引手部にロック機能を設け、またファスナーの開閉がし易い事である。
【課題を解決するための手段】
【０００５】上記目的を達成するために、ファスナースライダーの引手部に面ファスナーを縫製した生地を使用し、またネット本体のメッシュ生地にも面ファスナーを取り付けた事を特徴とする。
【考案の効果】
【０００６】本考案にあっては、ファスナースライダーの引手部に面ファスナーを縫製した生地を使用し、またネット本体にも面ファスナーを取り付け、面ファスナー同士を接合することにより洗濯中にファスナーが開かない。【０００７】またファスナースライダー引手部を一定以上の大きさにする事で持ち易く、また面ファスナー同士の十分な接合強度を得る事が出来る。
【図面の簡単な説明】
【０００８】
【図１】本考案に係る洗濯ネットの一実施形態における平面図である。
【図２】本考案に係る洗濯ネットの一実施形態における引手と面ファスナーの接合解除状態の拡大図である。
【図３】本考案に係る洗濯ネットの一実施形態における引手と面ファスナーの接合状態の拡大図である。
【図４】本考案に係る洗濯ネットの別実施形態の斜視図である。
【図５】本考案に係る洗濯ネットの別実施形態の引手と面ファスナーの接合解除状態の拡大図である。
【図６】本考案に係る洗濯ネットの別実施形態の引手と面ファスナーの接合状態の拡大図である。
【考案を実施するための形態】
【０００９】以下、本考案の望ましい実施の形態を図面に基づいて説明する。
【００１０】図１は本考案の洗濯ネットの一実施形態における平面図であり、図中符号１は引手を、図中符号２はヒモを、図中符号３はファスナーを、図中符号４はメッシュ生地を示す。
【００１１】本考案の洗濯ネットは、メッシュ生地にファスナーを取り付け縫製し形成される。
【００１２】引手１は布状で柔らかく手で持ち易く引き易い素材、大きさ、形状である事を特徴とする。
【００１３】図２は本考案の洗濯ネットの一実施形態における面ファスナーの接合解除状態の拡大図であり、引手１と４メッシュ生地に面ファスナー５を縫製している。
【００１４】図３は本考案の洗濯ネットの一実施形態における面ファスナーの接合状態の拡大図であり、面ファスナーはお互いに対向する位置、例えば洗濯ネット裏面に取り付けられている。
【００１５】図４は本考案に係る洗濯ネットの別実施形態の斜視図である。
【００１６】図５は本考案に係る洗濯ネットの別実施形態の引手と面ファスナーの接合解除状態の拡大図であり、面ファスナーはお互いに対向する位置に取り付けられている。
【００１７】図６は本考案に係る洗濯ネットの別実施形態の引手と面ファスナーの接合状態の拡大図であり引手１はヒモ２によりファスナースライダー６に取り付けられている。
【００１８】以上、本考案に係る洗濯ネットの実施例について説明したが、本考案は上記実施例に限定されるものではなくまた洗濯ネットの形状についても丸型、角型など用途に合わせて適宜変形実施可能である。
【符号の説明】
【００１９】１  引手
２  ヒモ
３  ファスナー
４  メッシュ生地
５  面ファスナー
６  ファスナースライダー
【図１】
0003213972.tif 000003
【図２】
0003213972.tif 000004
【図３】
0003213972.tif 000005
【図４】
0003213972.tif 000006
【図５】
0003213972.tif 000007
【図６】
0003213972.tif 000008
(57)【要約】      （修正有）【課題】表面は粘着性を持ち、裏面は剥離性を持つテープをロール状に巻きつけた清掃用粘着フィルムテープロールであって、塵芥の付着が飽和した時、テープを１層分（１周分）剥ぎ取り、新鮮な粘着面を用意することを便利にする。【解決手段】清掃用粘着フィルムテープが、ロール状に収容され、ハンドルへ装着し、使用後、次回更に塵芥粘着ができるかの可否判定をし、不能の場合、既使用の１周回分の始終端を示す稲妻状破裂線３である横断点線が、粘着された塵の層を透視して使用者に目視し易いようにロール芯へ稲妻破線状に濃色で印刷され、更に、ロール芯へロール状に収容後、周回始終端位置で裂断し易いよう、稲妻破裂線状に横断する切れ目を刃厚１．５〜２．０ｍｍ、刃長１．７〜２．２ｃｍでロール芯まで届く深さで施した。【選択図】図２
0003213931.tif 000002
【実用新案登録請求の範囲】
【請求項１】
清掃用粘着フィルムが  ロール状に収納され  ハンドルへ装填し使用後  更に塵粘着の可否と  更新時  使用済１周回分の終端の位置が  使用者に目視し易い様  断線が粘着層を透視して判別し易いよう  濃色で印刷されている事と  更に  ロール芯へロール状に収納後  周回終端位置で裂断し易いよう  稲妻破線状に横断する切れ目を  従来の１．５〜２倍の刃の長さ１．７〜２．２ｃｍ・刃厚０．２〜０．７ｍｍロール芯まで届く深さで  施す事である。
【考案の詳細な説明】
【技術分野】
【０００１】  従来この用途のテープは  その本体が通常複層構造であり  多層ほどその生産が  複雑高価であった。粘着効力の強弱・テープ剥新難易も重要だが  収塵量の多寡・剥新位置の確認がより重要であり  ロールに加工した際  幾層重廻出来るか？  仕上がり厚が最重要である。粘着剤・生地（表面は粘着剤と親和・裏面は粘着剤と剥離）の  云わば単層である。
【背景技術】
【０００２】  生地には  白色再生紙の表面活性・裏面不活性を用い  表面へ  塵付着量判定用に  １周毎の裂横断位置を線状に濃色印刷を施し  更に表面へ粘着剤を施し  裂横断位置には俗称稲妻状  裂断切目を施す。
【考案が解決しようとする課題】
【０００３】  生地の白色再生紙は  表裏の活性差異と引裂強度が充分な厚さが必要であり、施される粘着剤が適当な粘度を持つ事である。
【課題を解決するための手段】
【０００４】  白色再生紙は白色度・片面（裏面）平滑度に余り拘らず  低価な容易に入手可能なものを粘着剤も  粘度はなるべく低いが  残留溶剤の無い種類を選ぶべきである。
【考案の効果】
【０００５】  清掃に際し  粘着テープ生地に印刷された断線を  粘着された塵の層を透かして目視し、更な集塵可否を判定する縁とし  もう飽和と判断したら切裂横断位置線に従い裂断する。
【考案を実施するための最良の形態】
【０００６】  更新時  使用済みテープと未使用テープと重ねて剥がす誤作業を回避為に  粘着剤は白色再生紙の全幅でなく  左右両端に如何程かの余地を残し塗布する事が望まれる。
【実施例１】
【０００７】  表面平滑・裏素面の白色再生紙に濃色で横断破線を施し  更に粘着剤を塗布した清掃用粘着テープロール。
【産業上の利用可能性】
【０００８】  生活上諸状況で  微細な塵芥を  小範囲で  静寂に  除去するに最適の掃除具である。
【図面の簡単な説明】
【０００９】
【図１】白色再生紙面に横断点線（稲妻線）を濃色印刷した粘着テープ基材。
【図２】印刷・粘着施工・ロール収納後  稲妻切れ目を施した粘着テープ。
【符号の説明】
【００１０】１  白色再生紙（表平滑・裏素面）基材
２  粘着剤
３  横断点線（稲妻状破裂線）
【図１】
0003213931.tif 000003
【図２】
0003213931.tif 000004
【手続補正書】
【提出日】平成29年6月15日(2017.6.15)
【手続補正１】
【補正対象書類名】実用新案登録請求の範囲
【補正対象項目名】請求項１
【補正方法】変更
【補正の内容】
【請求項１】
清掃用粘着フィルムテープが  ロール状に収容され  ハンドルへ装着し  使用後  次回更に塵芥粘着の可否判定の便の為と  不能の場合  既使用の１周回分（１層分）の始終端を示す  横断点線（稲妻状破裂線）が  使用者に目視し易い様（断線がフィルムテープの多層を透視して判別し易いよう）ロール芯へ稲妻破線状に濃色で印刷され  更に  ロール芯へ  ロール状に収容後  周回始終端位置で裂断し易いよう  稲妻破裂線状に横断する切れ目を刃厚０．２〜０．９ｍｍ  刃長１．７〜２．２ｃｍでロール芯まで届く深さで施した清掃用粘着フィルムテープロール。
【手続補正書】
【提出日】平成29年9月21日(2017.9.21)
【手続補正１】
【補正対象書類名】実用新案登録請求の範囲
【補正対象項目名】請求項１
【補正方法】変更
【補正の内容】
【請求項１】
清掃用粘着フィルムテープが  ロール状に収容され  ハンドルへ装着し  使用後  次回更に塵芥粘着ができるかの可否判定をし、不能の場合  既使用の１周回分の始終端を示す稲妻状破裂線である横断点線が、粘着された塵の層を透視して使用者に目視し易いようにロール芯へ稲妻破線状に濃色で印刷され  更に  ロール芯へ  ロール状に収容後  周回始終端位置で裂断し易いよう  稲妻破裂線状に横断する切れ目を刃厚１．５〜２．０ｍｍ  刃長１．７〜２．２ｃｍでロール芯まで届く深さで施した清掃用粘着フィルムテープロール。
(57)【要約】      （修正有）【課題】誰にでもわかりやすく、作業の負担が少ない形状の布団カバーを提供する。【解決手段】カバーの両側に上から下までフルオープンになるようにファスナーを取り付ける。【選択図】図１
0003213934.tif 000002
【実用新案登録請求の範囲】
【請求項１】
カバー両側全体にファスナーをつける布団カバー。
【請求項２】
前記ファスナーは端から端まで取り付け、フルオープンできるものである。
【考案の詳細な説明】
【技術分野】
【０００１】  この考案は、掛け・敷き布団のカバーの形状に関する。
【背景技術】
【０００２】  従来の布団カバーは（図２）のように縦の側辺に３分の２程度のファスナーがついている。
【考案の概要】
【０００３】  この形状のカバーは左右、裏表、上下を思うように入れることが難しく、最近の布団は羽毛等で軽量になったとはいえ、高齢者には重労働といえる。
また、大きな布団を動かすことで埃をたててしまうことにもなる。
そこで、誰にでもわかりやすく、作業の負担が少ない形状のカバーを提供することを課題とする。
【課題と解決するための手段】
【０００４】  以上の課題を解決するために、従来片側３分の２程度のファスナーを両側全体につける。
裏表どちらでも使用できるようにする。
【考案の効果】
【０００５】  この考案によって、動作を最小限に安易にカバーの取り換えができる。
【図面の簡単な説明】
【０００６】
【図１】この考案の実施形態を示す斜視図である。
【図２】従来技術を示す斜視図である。
【考案を実施するための形態】
【０００７】  この考案の実施形態は図１に示す。
「実施形態の効果」
【０００８】  この形態によれば、両側のファスナーを全開した際、フルフラットな１枚布となる。その状態で上半分に布団を設置し、下半分を布団の上に折り返し、サイドのファスナーを閉める。襟元部分は３０センチほど残し折り込む。
上下左右を間違えることなく、布団をカバーの中に押し込む必要もない。
高齢者やハンディキャップのある方にも容易に扱える。
【符号の説明】
【０００９】１．布団カバー本体          ２．ファスナー
３．襟元折り返し部分
【図１】
0003213934.tif 000003
【図２】
0003213934.tif 000004
【手続補正書】
【提出日】平成29年9月14日(2017.9.14)
【手続補正１】
【補正対象書類名】実用新案登録請求の範囲
【補正対象項目名】請求項２
【補正方法】変更
【補正の内容】
【請求項２】
前記ファスナーは端から端まで取り付け、フルオープンできるものであることを特徴とする請求項１に記載の布団カバー。